(57)【要約】【課題】プライバシーフィルターの配置状態を容易に変更可能なタブレット端末用保護ケースを提供する。【解決手段】本発明によれば、タブレット端末の表示面を保護する表示面保護部と、前記タブレット端末の背面を保護する背面保護部が連結部で連結されたタブレット端末保護ケースであって、前記背面保護部は、前記タブレット端末を着脱可能に保持する端末保持部を有し、前記連結部は、前記背面保護部の一方の側面に設けられ、前記背面保護部の他方の側面に回動可能なプライバシーフィルターホルダーが設けられている、タブレット端末保護ケースが提供される。【選択図】図１
2014120909.tif 000002
【特許請求の範囲】
【請求項１】
タブレット端末の表示面を保護する表示面保護部と、前記タブレット端末の背面を保護する背面保護部が連結部で連結されたタブレット端末保護ケースであって、
前記背面保護部は、前記タブレット端末を着脱可能に保持する端末保持部を有し、
前記連結部は、前記背面保護部の一方の側面に設けられ、
前記背面保護部の他方の側面に回動部において回動可能なプライバシーフィルターホルダーが設けられている、タブレット端末保護ケース。
【請求項２】
前記回動部は、前記プライバシーフィルターホルダーが前記タブレット端末の表示面に重なる位置から、前記プライバシーフィルターホルダーが前記背面保護部に重なる位置まで回動可能であるように構成されている、請求項１に記載のタブレット端末保護ケース。
【請求項３】
前記回動部は、前記プライバシーフィルターホルダーに設けられた回動軸と、前記背面保護部に設けられ且つ前記回動軸を支持可能な回動軸支持部とで構成される、請求項１又は請求項２に記載のタブレット端末保護ケース。
【請求項４】
前記回動軸は、前記回動軸支持部内の軸挿入部内に挿入されて支持される、請求項３に記載のタブレット端末保護ケース。
【請求項５】
前記軸挿入部は、長穴形状である、請求項４に記載のタブレット端末保護ケース。
【請求項６】
前記表示面保護部は、前記表示面保護部が前記表示面に重なるように配置した状態で前記回動軸が収容される切欠き又は開口部を有する請求項３〜請求項５の何れか１つに記載のタブレット端末保護ケース。
【請求項７】
前記連結部は、前記連結部と前記背面保護部の境界、及び前記連結部と前記表示面保護部の境界でそれぞれ折り曲げて、前記表示面保護部が前記背面保護部を挟んで前記タブレット端末の反対側に配置可能であるように構成されている、請求項１〜請求項６の何れか１つに記載のタブレット端末保護ケース。
【請求項８】
前記背面保護部は、ヒンジ部を有し、前記ヒンジ部で前記背面保護部を折り曲げた状態で前記タブレット端末用のスタンドとして利用可能である、請求項１〜請求項７の何れか１つに記載のタブレット端末保護ケース。
【請求項９】
前記ヒンジ部は、前記背面保護部を前記回動部に近い側の第１部分と、前記連結部に近い側の第２部分に分割し、前記端末保持部は、第１部分に設けられている数が第２部分に設けられている数よりも多い、請求項８に記載のタブレット端末保護ケース。
【請求項１０】
前記端末保持部は、第１部分に４箇所以上設けられており、第２部分に２箇所以上設けられている、請求項９に記載のタブレット端末保護ケース。
【発明の詳細な説明】
【技術分野】
【０００１】
本発明は、タブレット端末用保護ケースに関する。
【背景技術】
【０００２】
近年、アップル社などから、携帯性がよく、タッチパネルで操作可能なタブレット端末が市販されている。このようなタブレット端末は、電子メールの送受信やスケジュール管理などに利用されている。
【０００３】
タブレット端末は常時持ち歩くことが多く、その分だけ、表示面や背面にキズが付きやすい。タブレット端末の表示面と背面の両方を保護するために、表示面を保護する表示面保護部と、背面を保護する背面保護部が連結部で連結された、書籍のハードカバー形状のタブレット端末保護ケースを用いて、表示面と背面の両方を確実に保護することを希望するユーザーがいる。このような保護ケースは、通常、背面保護部にタブレット端末を固定して利用される。
【０００４】
タブレット端末の視野角は一般に非常に広く、電車内で使用していると、隣に座っている人から画面が容易に覗き見られてしまう。画面が覗き見られてしまうことを防ぐために、視野角を制限するためのプライバシーフィルター（覗き見防止フィルター）が種々のベンダーから発売されている。プライバシーフィルターをタブレット端末に取り付ける方法としては、プライバシーフィルターを画面に貼り付ける方法や、タブレット端末の四隅にアタッチメントを設けて、このアタッチメントを用いてプライバシーフィルターを固定する方法などがある。
【０００５】
タブレット端末は、個人的に利用する以外に、客先で資料を見せながらプレゼンをするために使用されることも多い。このような用途にタブレット端末を使用する場合、視野角を制限するプライバシーフィルターはプレゼンの邪魔になるので取り外した状態でプレゼンを行い、終了後に、再度、プライバシーフィルターを取り付けることになる。
【発明の概要】
【発明が解決しようとする課題】
【０００６】
このように、プライバシーフィルターを頻繁に着脱することは面倒であるのみならず、粘着又は吸着式で画面に貼り付けるタイプのフィルターは着脱を繰り返すうちに貼り付きが悪くなったり、アタッチメントを用いて固定するタイプのフィルターも着脱を繰り返すうちにアタッチメント部が傷んでしまうことがある。
本発明はこのような事情に鑑みてなされたものであり、プライバシーフィルターの配置状態を容易に変更可能なタブレット端末用保護ケースを提供するものである。
【課題を解決するための手段】
【０００７】
本発明によれば、タブレット端末の表示面を保護する表示面保護部と、前記タブレット端末の背面を保護する背面保護部が連結部で連結されたタブレット端末保護ケースであって、
前記背面保護部は、前記タブレット端末を着脱可能に保持する端末保持部を有し、
前記連結部は、前記背面保護部の一方の側面に設けられ、
前記背面保護部の他方の側面に回動部において回動可能なプライバシーフィルターホルダーが設けられている、タブレット端末保護ケースが提供される。
【０００８】
本発明者は上記のような着脱を繰り返すことによって生じる問題を解決すべく鋭意検討を行なっていたところ、プライバシーフィルターはタブレット端末と観察者の間に配置していればいいのであって、必ずしもタブレット端末に固定する必要がないことに気がついた。そして、タブレット端末にプライバシーフィルターを取り付けるという発想を捨て、その保護ケースに回動可能なプライバシーフィルターホルダーを設けるという発想に到った。
【０００９】
プライバシーフィルターホルダーには、プライバシーフィルターが設けられており、このホルダーを回動させることによって、普段はプライバシーフィルターが画面上に配置されるようにしてプライバシーを確保し、プレゼンの際には、ホルダーを回動させてプライバシーフィルターが画面と観察者の間に配置されないようにするといった使用方法が可能になる。従来の方法では、プライバシーフィルターを貼ったり剥がしたりする手間や、プライバシーフィルターをアタッチメントに取り付けたり取り外したりする手間があって、非常に面倒なものであったが、本発明によれば、このような手間がなく、単にプライバシーフィルターホルダーを回動させるだけで、個人的用途とプレゼン用途の切り替えを素早く且つ容易に行うことができる。
【００１０】
ここで、本発明の種々の実施形態を例示する。これらの実施形態は、互いに組み合わせ可能である。
好ましくは、前記回動部は、前記プライバシーフィルターホルダーが前記タブレット端末の表示面に重なる位置から、前記プライバシーフィルターホルダーが前記背面保護部に重なる位置まで回動可能であるように構成されている。
好ましくは、前記回動部は、前記プライバシーフィルターホルダーに設けられた回動軸と、前記背面保護部に設けられ且つ前記回動軸を支持可能な回動軸支持部とで構成される。
好ましくは、前記回動軸は、前記回動軸支持部内の軸挿入部内に挿入されて支持される。
好ましくは、前記軸挿入部は、長穴形状である。
好ましくは、前記表示面保護部は、前記表示面保護部が前記表示面に重なるように配置した状態で前記回動軸が収容される切欠き又は開口部を有する。
好ましくは、前記連結部は、前記連結部と前記背面保護部の境界、及び前記連結部と前記表示面保護部の境界でそれぞれ折り曲げて、前記表示面保護部が前記背面保護部を挟んで前記タブレット端末の反対側に配置可能であるように構成されている。
好ましくは、前記背面保護部は、ヒンジ部を有し、前記ヒンジ部で前記背面保護部を折り曲げた状態で前記タブレット端末用のスタンドとして利用可能である。
好ましくは、前記ヒンジ部は、前記背面保護部を前記回動部に近い側の第１部分と、前記連結部に近い側の第２部分に分割し、前記端末保持部は、第１部分に設けられている数が第２部分に設けられている数よりも多い。
好ましくは、前記端末保持部は、第１部分に４箇所以上設けられており、第２部分に２箇所以上設けられている。
【図面の簡単な説明】
【００１１】
【図１】本発明の一実施形態のタブレット端末保護ケースを示す斜視図である。
【図２】（ａ）〜（ｆ）は、図１のタブレット端末保護ケースを示す、（ａ）は正面図、（ｂ）は右側面図、（ｃ）は左側面図、（ｄ）は背面図、（ｅ）は平面図、（ｆ）は底面図である。全体が特徴的なデザイン（全体意匠）であり、また、点線で囲った部分は特に特徴的なデザイン（部分意匠）である。
【図３】図１のタブレット端末保護ケースにタブレット端末が装着された状態を示す斜視図である。
【図４】プライバシーフィルターがタブレット端末の表示面上に配置された状態を示す斜視図である。
【図５】プライバシーフィルターホルダー及び表示面保護部がタブレット端末の表示面上に配置された状態を示す斜視図である。
【図６】プライバシーフィルターホルダー及び表示面保護部が背面保護部の裏側に折り返された状態を示す、左上から見た斜視図である。
【図７】プライバシーフィルターホルダー及び表示面保護部が背面保護部の裏側に折り返された状態を示す、左下から見た斜視図である。
【図８】背面保護部がヒンジ部で折り曲げられてスタンドとして利用されている状態を示す斜視図である。
【発明を実施するための形態】
【００１２】
以下、図面を用いて、本発明の実施形態について説明する。以下の実施形態は、例示であって、本発明の範囲は、以下の実施形態で示すものに限定されない。
【００１３】
図１は、本発明の一実施形態のタブレット端末保護ケース１を示す斜視図である。図３は、図１のタブレット端末保護ケース１にタブレット端末３が装着されている状態を示す。
タブレット端末保護ケース１は、タブレット端末３の表示面５を保護する表示面保護部７と、タブレット端末３の背面９を保護する背面保護部１１が連結部１３で連結されたタブレット端末保護ケースである。背面保護部１１はタブレット端末３を着脱可能に保持する端末保持部１５を有し、連結部１３は、背面保護部１１の一方の側面１７に設けられ、背面保護部１１の他方の側面１９に回動部２０において回動可能なプライバシーフィルターホルダー２１が設けられている。
【００１４】
タブレット端末３は、携帯性がよくタッチパネルで操作可能なコンピュータであり、その種類は特に限定されず、例えば、アップル社製のiPadシリーズである。タブレット端末３の背面９側を背面保護部１１に載せ、背面保護部１１に設けられた端末保持部１５で、タブレット端末３を着脱可能に保持する。端末保持部１５の構成は、タブレット端末３を着脱可能に保持可能なものであれば特に限定されないが、例えばタブレット端末３に弾性嵌合して保持するものである。本実施形態では、端末保持部１５は、長方形状のタブレット端末３の角部の４箇所と、側面部の２箇所でタブレット端末３に弾性嵌合するものである。端末保持部１５は弾性嵌合が可能なように樹脂などの弾性材料で形成されることが好ましい。端末保持部１５の位置や数は特に限定されず、タブレット端末３の保持に必要な数だけ必要な位置に設ければよい。
【００１５】
プライバシーフィルターホルダー２１には、視野角を制限するためのプライバシーフィルター２３を装着することができる。また、プライバシーフィルター２３の装着方法は特に限定されず、プライバシーフィルターホルダー２１に開口部を設け、その開口部の縁に沿ってプライバシーフィルター２３を粘着剤等で固定してもよく、プライバシーフィルターホルダー２１が透光性を有している場合には、プライバシーフィルターホルダー２１にプライバシーフィルター２３を貼り合わせてもよい。また、プライバシーフィルターホルダー２１自体に視野角を制限するための機能を持たせてもよい。この場合、プライバシーフィルター２３を別途装着する必要がない。
【００１６】
プライバシーフィルターホルダー２１は、背面保護部１１の側面１９に設けられた回動部２０において回動可能になっている。本実施形態では、回動部２０は、プライバシーフィルターホルダー２１に設けられた回動軸２９と、背面保護部１１に設けられ且つ回動軸２９を支持可能な回動軸支持部３１とで構成される。回動軸２９は、図５に示すように回動軸支持部３１内の軸挿入部３３内に挿入されて支持される。回動軸支持部３１は、背面保護部１１の、表示面保護部７が設けられた側１７とは反対側１９に設けられている。プライバシーを確保したい場合には、図３の状態からプライバシーフィルターホルダー２１を回動させて図４のような状態に配置する。なお、図４では、図示の便宜上、表示面保護部７及び連結部１３を省略して表示している。
【００１７】
プライバシーフィルターホルダー２１には係合部２５が設けられており、係合部２５をタブレット端末３の側面に係合させて、プライバシーフィルターホルダー２１をタブレット端末３に固定可能になっている。固定が必要ない場合には、係合部２５は省略可能である。
【００１８】
また、持ち運ぶ際には、図４の状態から、表示面保護部７がタブレット端末３の表示面５上に位置するように、連結部１３と背面保護部１１の境界、及び連結部１３と表示面保護部７の境界でそれぞれ折り曲げて、図５のように、表示面保護部７がタブレット端末３の表示面５上に接触又は非接触でに配置される状態にする。この状態において、表示面保護部７に設けられた切欠き３５に回動軸２９が収まる。別の実施形態では、表示面保護部７は、切欠き３５の代わりに、回動軸２９が収まる形状の開口部を有してもよい。このような切欠き３５又は開口部を設けることによって、表示面保護部７の位置がある程度位置決め可能になる。
【００１９】
軸挿入部３３は、図５に示すように、長穴形状になっており、プライバシーフィルターホルダー２１をタブレット端末３の表示面５側に配置する際には、回動軸２９は長穴内の上の方に位置している。一方、図６〜図７に示すように、プライバシーフィルターホルダー２１を折り返して、プライバシーフィルターホルダー２１が背面保護部１１に重なるように配置する際には、回動軸２９は長穴内の下の方に位置している。このように、回動軸２９が長穴形状の軸挿入部３内を移動することによって、プライバシーフィルターホルダー２１の回動範囲が非常に広くなり、プライバシーフィルターホルダー２１を背面保護部１１に重ねることが容易になっている。
【００２０】
なお、軸挿入部３の形状は長穴に限定されず、円形などであってもよい。この場合、プライバシーフィルターホルダー２１の回動範囲は若干狭くなるが、プライバシーフィルター２３の配置状態を容易に変更するという目的は達成可能である。
【００２１】
また、回動部２０の構成は、本実施形態で示したものに限定されず、例えば柔軟性部材で背面保護部１１とプライバシーフィルターホルダー２１を連結することによってプライバシーフィルターホルダー２１を回動可能にしたものであってもよい。回動部２０は、プライバシーフィルターホルダー２１がタブレット端末３の表示面５に重なる位置から、プライバシーフィルターホルダー２１が背面保護部１１に重なる位置まで回動可能である構成が好ましい。また、連結部１３は、連結部１３と背面保護部１１の境界、及び連結部１３と表示面保護部７の境界でそれぞれ折り曲げて表示面保護部７が背面保護部１１を挟んでタブレット端末３の反対側に配置可能であるように構成されていることが好ましい。このような構成であれば、プライバシー確保が必要なときは図４の状態で使用し、プレゼンの際には図６〜図７に示す状態で使用すれば、どちらの状態の場合でも、全体をコンパクトな形状にすることができる。プライバシーフィルターホルダー２１の回動範囲が狭くて図６〜図７のように背面保護部１１に重なる状態にすることができない場合には、図３に示すように広げた状態でプレゼンをする必要があるが、商談などの際に、机全体に資料を並べている場合などには、このように広げた状態でプレゼンすることが容易でない場合がある。これに対して、プライバシーフィルターホルダー２１の回動範囲が十分に広ければ、このような問題が生じず、狭いスペースでも効果的なプレゼンを行うことが可能になる。
【００２２】
さらに、背面保護部１１は、ヒンジ部２７を有しており、図８に示すように、ヒンジ部２７で背面保護部１１を折り曲げた状態でタブレット端末３用のスタンドとして利用可能である構成になっている。ヒンジ部２７は、背面保護部１１の側面に略平行に、背面保護部１１の略中央に設けられている。また、背面保護部１１は、ヒンジ部２７で二分割されて、回動部２０に近い側の第１部分１１ａと、連結部１３に近い側の第２部分７ｂとで構成されている。
【００２３】
端末保持部１５は、第１部分１１ａに４箇所、第２部分１１ｂに２箇所設けられている。図８に示すように、ヒンジ部２７で背面保護部１１を折り曲げた状態で使用する際には、第２部分１１ｂの端末保持部１５からタブレット端末３を外すことになるが、第１部分１１ａの４箇所の端末保持部１５でタブレット端末３を保持しているので、図８の状態でもタブレット端末３を安定して保持可能である。より一般的には、第１部分１１ａに設けられている端末保持部１５の数が第２部分１１ｂに設けられている数よりも多いことが好ましい。この場合、スタンドとしての利用時にタブレット端末３は比較的多くの端末保持部１５で保持されることになるからである。端末保持部１５は、第１部分１１ａに４箇所以上設けられており、第２部分１１ｂに２箇所以上設けられていることが好ましい。また、ヒンジ部２７の数は、好ましくは１つであるが、２つ以上であってもよい。ヒンジ部２７の位置は、背面保護部１１の略中央であることが好ましいが、中央からずれた位置に設けられていてもよい。
【００２４】
図８の状態では、プライバシーフィルター２３がタブレット端末３の表示面５上に無いので、表示面５の視野角は広く、多人数へのプレゼンを効果的に行うことができる。また、プレゼン中に顧客に表示面５を見せたくない状況が生じた場合には、回動部２０を中心にしてプライバシーフィルターホルダー２１を回動させることによって、プライバシーフィルター２３をタブレット端末３の表示面５上に素早く配置することができる。
【００２５】
本実施形態のタブレット端末保護ケース１の各種部材の材質は、特に限定されず、ポリカーボネートのような硬質樹脂製であってもよく、ウレタンのような軟質樹脂製であってもよく、革製や布製など樹脂以外の材質のものであってもよい。各種部材は、透明であっても非透明であってもよい。
【符号の説明】
【００２６】
１：タブレット端末用保護ケース、３：タブレット端末、７：表示面保護部、１１：背面保護部、１３：連結部、１５：端末保持部、２０：回動部、２１：プライバシーフィルターホルダー、２３：プライバシーフィルター
【図１】
2014120909.tif 000003
【図２】
2014120909.tif 000004
【図３】
2014120909.tif 000005
【図４】
2014120909.tif 000006
【図５】
2014120909.tif 000007
【図６】
2014120909.tif 000008
【図７】
2014120909.tif 000009
【図８】
2014120909.tif 000010